(57)【要約】【課題】１アクションで取り付けが完了する低コストのストラップ取り付け構造を提供する。【解決手段】ハンドストラップ１３は、バンド部１４とこれの幅方向に突出した１対の係止突起部１７が一体に形成され取付金具１５とを備え、ハンドヘルドターミナル１０は、その背面に係止部１８を備えている。係止部１８は、取付金具１５が嵌め込まれる遊嵌部２０と、係止突起部１７の収容のためのスリット２２を形成するスリット形成部材２１と、係止突起部１７をスリット形成部材２１の離脱阻止部２３との係止位置に移動させる付勢部材２４とを有している。取り付けは、取付金具１５を指で遊嵌部２０に押し込んでスライドさせ、取付金具１５から指を離すという一連の動作による１アクションで可能となり、指を離したときは、付勢部材２４で付勢された取付金具１５の係止突起部１７が離脱阻止部２３で離脱できない位置に保持される。【選択図】図２
2011130887.tif 000002
【特許請求の範囲】
【請求項１】
ハンドストラップをハンドヘルドターミナルに着脱可能に取り付けるストラップ取り付け構造において、
前記ハンドストラップは、帯状のバンド部と、前記バンド部の幅方向に突出する１対の係止突起部が一体に形成された本体中央部により前記バンド部の両端にそれぞれ取り付けられた取付金具とを有し、
前記ハンドヘルドターミナルは、前記取付金具を係止する係止部を有し、
前記係止部は、前記ハンドヘルドターミナルの表面に前記取付金具を嵌め込んでスライドさせることができる形状に凹設された遊嵌部と、前記係止突起部がスライドされてくる位置を覆うように配置されてスリットを形成し、前記スリットの入口側に離脱阻止部を有するスリット形成部材とを有し、
前記ハンドストラップまたは前記係止部に設けられて、前記スリット内の前記係止突起部を前記離脱阻止部と係止される位置まで付勢する付勢手段を備えていることを特徴とするストラップ取り付け構造。
【請求項２】
前記付勢手段は、前記遊嵌部へ前記取付金具を押し込む動作に連動して蓄勢されるばねであることを特徴とする請求項１記載のストラップ取り付け構造。
【請求項３】
前記付勢手段は、前記遊嵌部の底面に輪郭に沿って部分的にスリットを形成し、自由端側の先端部が前記遊嵌部の底面より突出するように形成されていることを特徴とする請求項１記載のストラップ取り付け構造。
【請求項４】
前記付勢手段は、自由端側の前記先端部に、前記遊嵌部の底面より突出して前記取付金具の本体中央部分に当接される当接部が形成されていることを特徴とする請求項３記載のストラップ取り付け構造。
【請求項５】
前記遊嵌部、前記スリット形成部材および前記付勢手段は、弾性を有する材料により前記ハンドヘルドターミナルのハウジングと一体に形成されていることを特徴とする請求項１記載のストラップ取り付け構造。
【請求項６】
前記スリットは、その入口が前記離脱阻止部により前記係止突起部の厚みにほぼ等しい高さを有し、前記離脱阻止部の奥側が前記係止突起部の厚みのほぼ２倍の高さを有していることを特徴とする請求項１記載のストラップ取り付け構造。
【発明の詳細な説明】
【技術分野】
【０００１】
本発明はストラップ取り付け構造に関し、特に持ち運べる程度の大きさを有する携帯情報端末等のハンドヘルドターミナルに着脱自在に取り付けられるストラップの取り付け構造に関する。
【背景技術】
【０００２】
物流、流通・小売業界等では、現場にハンドヘルドターミナルを持ち込んでデータを収集したり、収集したデータを印字したりすることが行われている。ハンドヘルドターミナルは、一般に、これを掴んでいる手から離れて落下することがないように、手を押えておくためのハンドストラップが取り付けられている。
【０００３】
図６は従来のストラップ取り付け構造を有するハンドヘルドターミナルの背面側を示す斜視図、図７は従来の別のストラップ取り付け構造を有するハンドヘルドターミナルの背面側を示す斜視図である。
【０００４】
図６に示すハンドヘルドターミナル１００は、たとえば特許文献１に記載のものと同様の構造を有していて、背面にハンドストラップ１０１が着脱自在に取り付けられている。ハンドストラップ１０１は、細長いゴムバンドのようなバンド部１０２と、その両端に取り付けられた取付金具１０３とを備えている。取付金具１０３は、バンド部１０２の両端をそれぞれあざ折り加工で挟み込むことによりバンド部１０２に取り付けられている。取付金具１０３は、また、バンド部１０２の幅よりも幅方向に突出した係止突起部が一体に形成され、かつ、ばね材からなる針金状のシャフト１０４が取り付けられている。シャフト１０４は、その両端が取付金具１０３のあざ折りされている屈曲部に保持され、そこを中心に回動可能に構成されている。
【０００５】
ハンドヘルドターミナル１００は、その背面にハンドストラップ１０１を取り付ける係止部１０５，１０６を有している。係止部１０５，１０６は、ハンドストラップ１０１の取付金具１０３が嵌るように凹設された遊嵌部１０７を有している。この遊嵌部１０７は、取付金具１０３が遊嵌された状態で取付金具１０３の係止突起部を除く部分が互いの方向にスライドできるように拡張されている。係止部１０５，１０６は、取付金具１０３がスライドするときの係止突起部の移動軌跡に沿ってスリットが形成されており、遊嵌部１０７に遊嵌された取付金具１０３を互いの方向に向かってスライドさせたときに、取付金具１０３の係止突起部がスリットに嵌り込むようになっている。
【０００６】
したがって、ハンドヘルドターミナル１００にハンドストラップ１０１を取り付けるときには、まず、ハンドストラップ１０１の取付金具１０３をたとえば係止部１０５の遊嵌部１０７に嵌め込む。次に、取付金具１０３を係止部１０６の方向にスライドさせて取付金具１０３の係止突起部を係止部１０５のスリットに嵌め込む。そして、取付金具１０３に取り付けられたシャフト１０４を倒すように回動させ、取付金具１０３をスライドさせることによって開いた空間にシャフト１０４を押し込む。これにより、シャフト１０４は、遊嵌部１０７のスリットが形成されている側と反対側の壁に圧接し、取付金具１０３をそのスライド方向に移動できないようにしている。ハンドストラップ１０１の反対側の取付金具１０３についても、同様の操作にて、係止部１０６に取り付けられる。
【０００７】
ハンドヘルドターミナル１００からハンドストラップ１０１を取り外すときには、まず、シャフト１０４を引き起こすように回動させ、取付金具１０３をスライドさせて係止突起部を係止部１０５のスリットから離脱させる。これにより、取付金具１０３を係止部１０５の遊嵌部１０７から外すことができる。また、ハンドストラップ１０１の反対側の取付金具１０３についても、同様にして、係止部１０６の遊嵌部１０７から外すことができる。
【０００８】
図７に示すハンドヘルドターミナル１１０では、その背面にハンドストラップ１１１が着脱自在に取り付けられている。このハンドストラップ１１１は、細長いゴムバンドのようなバンド部１１２を有し、その一端は、取付金具１１３によってハンドヘルドターミナル１１０に固定されている。すなわち、取付金具１１３は、金属の丸棒を長方形に折り曲げた形状を有する環状部材１１４と、この環状部材１１４の長辺側の一方に巻き付けられた連結部材１１５と、この連結部材１１５をハンドヘルドターミナル１１０にねじ止めする固定ねじ１１６とを有している。バンド部１１２は、取付金具１１３の環状部材１１４を通して折り曲げられ、重ね合わされる部分に縫い付けられた面ファスナーによって重なり部分が止められることにより、取付金具１１３に取り付けられている。
【先行技術文献】
【特許文献】
【０００９】
【特許文献１】国際公開番号ＷＯ２０００／０４２８７７号公報
【発明の概要】
【発明が解決しようとする課題】
【００１０】
しかしながら、取付金具の係止突起部を係止部に嵌め込み、ばね材からなるシャフトで嵌め込んだ係止突起部が係止部から抜けないようにしたストラップ取り付け構造では、ストラップの取り付けに２アクションが必要であり、そのため、２アクション目のシャフトによる外れ防止操作を忘れてしまうという問題点があった。
【００１１】
また、取付金具をその固定ねじで止めるようにしたストラップ取り付け構造では、バンド部に縫い付けられる面ファスナーが必要であり、かつ、取付金具を構成する部品の点数が多いことからコストが高くなるという問題点があった。
【００１２】
本発明はこのような点に鑑みてなされたものであり、１アクションで取り付けが完了する低コストのストラップ取り付け構造を提供することを目的とする。
【課題を解決するための手段】
【００１３】
本発明では上記の課題を解決するために、ハンドストラップをハンドヘルドターミナルに着脱可能に取り付けるストラップ取り付け構造において、前記ハンドストラップは、帯状のバンド部と、前記バンド部の幅方向に突出する１対の係止突起部が一体に形成された本体中央部により前記バンド部の両端にそれぞれ取り付けられた取付金具とを有し、前記ハンドヘルドターミナルは、前記取付金具を係止する係止部を有し、前記係止部は、前記ハンドヘルドターミナルの表面に前記取付金具を嵌め込んでスライドさせることができる形状に凹設された遊嵌部と、前記係止突起部がスライドされてくる位置を覆うように配置されてスリットを形成し、前記スリットの入口側に離脱阻止部を有するスリット形成部材とを有し、前記ハンドストラップまたは前記係止部に設けられて、前記スリット内の前記係止突起部を前記離脱阻止部と係止される位置まで付勢する付勢手段を備えていることを特徴とするストラップ取り付け構造が提供される。
【００１４】
このようなストラップ取り付け構造によれば、利用者は、指で取付金具を遊嵌部に押し込み、その押し込んだ状態のままスライドさせて取付金具から指を離すという一連の動作による１アクションでハンドストラップを取り付けることができる。取付金具から指を離したとき、付勢手段がスリット内の係止突起部を離脱阻止部と係止される位置まで移動させるので、取付金具が係止部から外れることがない。
【発明の効果】
【００１５】
上記構成のストラップ取り付け構造は、取付金具を係止部に取り付けるときに、取付金具が係止部から外れるのを防止するための特別な操作は必要ないので、ストラップの着脱が容易であり、しかも、外れ防止操作を忘れることによる脱落の危険性もないという利点がある。
【００１６】
また、取り付けに必要な部品の点数も少なく、特に、付勢手段を含めて係止部の要素をハンドヘルドターミナルのハウジングと一体に形成することが可能であるので、製造コストを低減することができる。
【図面の簡単な説明】
【００１７】
【図１】第１の実施の形態に係るハンドヘルドターミナルの外観を示す図であって、（Ａ）はハンドヘルドターミナルを正面側から見た斜視図、（Ｂ）はハンドヘルドターミナルを背面側から見た斜視図である。
【図２】ストラップを取り付ける前の状態を示す説明図である。
【図３】ストラップの取り付け完了の状態を示す図である。
【図４】ストラップを取り付けるときの動作を説明する図３のＡ−Ａ矢視断面図であって、（Ａ）は第１の取り付け動作状態を示し、（Ｂ）は第２の取り付け動作状態を示し、（Ｃ）は第３の取り付け動作状態を示している。
【図５】第２の実施の形態に係るストラップ取り付け構造を示す図であって、（Ａ）は取付金具の底面図、（Ｂ）は取付金具の正面図である。
【図６】従来のストラップ取り付け構造を有するハンドヘルドターミナルの背面側を示す斜視図である。
【図７】従来の別のストラップ取り付け構造を有するハンドヘルドターミナルの背面側を示す斜視図である。
【発明を実施するための形態】
【００１８】
以下、本発明の実施の形態について、図面を参照しながら詳細に説明する。
図１は第１の実施の形態に係るハンドヘルドターミナルの外観を示す図であって、（Ａ）はハンドヘルドターミナルを正面側から見た斜視図、（Ｂ）はハンドヘルドターミナルを背面側から見た斜視図、図２はストラップを取り付ける前の状態を示す説明図、図３はストラップの取り付け完了の状態を示す図、図４はストラップを取り付けるときの動作を説明する図３のＡ−Ａ矢視断面図であって、（Ａ）は第１の取り付け動作状態を示し、（Ｂ）は第２の取り付け動作状態を示し、（Ｃ）は第３の取り付け動作状態を示している。
【００１９】
ハンドヘルドターミナル１０は、図１の（Ａ）に示したように、正面側に表示部１１およびテンキー、ファンクションキー等の操作部１２を有し、図１の（Ｂ）に示したように、背面側には、ハンドストラップ１３が着脱自在に取り付けられている。
【００２０】
ハンドストラップ１３は、伸縮可能な帯状のバンド部１４と、その両端に取り付けられた取付金具１５とを備えている。バンド部１４の両端に取り付けられた取付金具１５は、同じ構造を有していて、図２に示されるように、バンド部１４の一端をあざ折り加工で挟み込み、一体に形成された複数の爪部１６をバンド部１４に食い込ませることによってバンド部１４に取り付けられている。取付金具１５は、また、バンド部１４の幅よりも幅方向に突出した１対の係止突起部１７が一体に形成されている。
【００２１】
ハンドヘルドターミナル１０は、その背面側にハンドストラップ１３を取り付ける係止部１８，１９を有している。係止部１８，１９は、ハンドストラップ１３の取付金具１５が嵌るようにＴ字状に凹設された遊嵌部２０を有している。
【００２２】
この遊嵌部２０は、取付金具１５が遊嵌された状態で取付金具１５の係止突起部１７を除く本体中央部分がスライドできる形状に拡張されている。取付金具１５がスライドするときの係止突起部１７の移動位置は、スリット形成部材２１によって覆われることでスリット２２を形成している。スリット形成部材２１は、図４の断面図に見られるように、係止突起部１７の進入してくる入口の部分が鉤状の形状を有しており、係止突起部１７がスリット２２から離脱するのを阻止する離脱阻止部２３を構成している。内部のスリット２２は、係止突起部１７の厚みのほぼ２倍の高さを有し、係止突起部１７がスライドしてスリット２２に進入してくる入口の部分は、係止突起部１７の厚みにほぼ等しい高さになっている。
【００２３】
遊嵌部２０は、また、取付金具１５が遊嵌されたときにその本体中央部分が位置する場所に、付勢手段としての付勢部材２４が形成されている。この付勢部材２４は、輪郭に沿ってコ字状のスリットを形成することにより、一端が自由端で他端が固定端となっている片持ち状態の板によって構成され、自由端側の先端部分には、遊嵌部２０の底面より突出した当接部２５が形成されている。付勢部材２４は、取付金具１５を遊嵌部２０に遊嵌したときに、その当接部２５が取付金具１５の本体中央部分によって遊嵌部２０の底面まで押し下げられ、係止突起部１７がスリット２２内に位置しているときには、係止突起部１７を遊嵌部２０の底面から押し上げるように機能する。
【００２４】
遊嵌部２０、スリット形成部材２１および付勢部材２４は、弾性を有する材料によってハンドヘルドターミナル１０のハウジングと一体に形成されている。このハウジングは、たとえば、ＡＢＳ（アクリロニトリル・ブタジエン・スチレン）樹脂で形成することによって付勢部材２４にばね性を持たせることができる。
【００２５】
次に、以上の構成を有するハンドヘルドターミナル１０およびハンドストラップ１３において、ハンドヘルドターミナル１０にハンドストラップ１３を取り付ける際の動作について説明する。
【００２６】
まず、ハンドストラップ１３の一方の取付金具１５が、一方の係止部１８の遊嵌部２０に嵌め込まれる。このとき、取付金具１５の本体中央部分をスリット形成部材２１の間に置き、係止突起部１７をスリット形成部材２１の図２の上方の端面に沿わせて、取付金具１５を押し込むことにより、容易に遊嵌部２０に嵌め込むことができる。このとき、付勢部材２４は、図４の（Ａ）に示したように、その当接部２５が取付金具１５の本体中央部分による押し下げに連動して撓んだ状態になり、その弾性エネルギが蓄勢される。
【００２７】
次に、取付金具１５を、押し下げた状態のまま、他方の係止部１９の方向にスライドさせ、図４の（Ｂ）に示したように、取付金具１５の係止突起部１７をスリット２２に嵌め込む。
【００２８】
そして、取付金具１５への押し下げ力を解放すると、付勢部材２４が蓄勢した弾性エネルギも解放されるので、取付金具１５は、付勢部材２４の復元力により押し上げられる。これにより、取付金具１５の係止突起部１７は、図４の（Ｃ）に示したように、離脱阻止部２３によって拘束され、ハンドストラップ１３は、係止部１８に、これから外れることのない状態で取り付けられる。
【００２９】
ハンドストラップ１３の反対側の取付金具１５についても、同様の操作をすることによって、係止部１９に取り付けられる。ハンドストラップ１３の両方の取付金具１５が係止部１８，１９に取り付けられた状態では、バンド部１４の伸縮性により、取付金具１５の係止突起部１７をスリット２２の位置に維持させることになる。加えて、付勢部材２４が係止突起部１７を離脱阻止部２３と係止する位置に移動させているので、係止突起部１７が外れてしまう可能性を大幅に低減している。
【００３０】
このようにして、利用者は、指で取付金具１５を遊嵌部２０に押し込み、その押し込んだ状態のままスライドさせて取付金具１５から指を離すという一連の動作による１アクションでハンドストラップ１３を取り付けることができる。１アクションで済むので、取り付け操作の手順を部分的に忘れてしまうということもなく、確実に取り付けることができる。
【００３１】
逆に、ハンドヘルドターミナル１０からハンドストラップ１３を取り外すときには、まず、取付金具１５の本体中央部分を押し下げる。これにより、取付金具１５の係止突起部１７は、離脱阻止部２３による拘束から解放されて、図４の（Ｃ）の状態から（Ｂ）の状態に移行する。次に、取付金具１５の本体中央部分を押し下げた状態のまま取付金具１５の取り付け時とは反対の方向にスライドさせて、係止突起部１７を係止部１８のスリット２２から離脱させる。これにより、取付金具１５は、係止部１８の遊嵌部２０から容易に取り外すことができるようになる。また、ハンドストラップ１３の反対側の取付金具１５についても、同様の操作にて、係止部１９から取り外すことができる。このように、ハンドストラップ１３を取り外すときも、１アクションで取り外すことができるので、取り外し作業の煩わしさを大幅に軽減することができる。
【００３２】
図５は第２の実施の形態に係るストラップ取り付け構造を示す図であって、（Ａ）は取付金具の底面図、（Ｂ）は取付金具の正面図である。
第２の実施の形態に係るストラップ取り付け構造では、第１の実施の形態に係るストラップ取り付け構造の付勢部材２４の機能を取付金具１５の側に設けている。すなわち、取付金具１５は、図５の（Ａ）に示したように、取付金具１５の本体中央部２６に、たとえばＴ字状の付勢部材２４を形成するよう輪郭に沿ってスリットを形成している。この付勢部材２４は、図５の（Ｂ）に示したように、その自由端が図の下方に突出するよう曲げられた状態で形成されている。したがって、この取付金具１５は、弾力性のあるばね材によって形成されている。
【００３３】
付勢部材２４は、取付金具１５が押し下げられたときに、本体中央部２６と同じ位置になるまで弾性変形し、係止突起部１７が係止部１８，１９のスリット２２まで移動して取付金具１５の押し下げ力がなくなると、付勢部材２４の復元力により取付金具１５が持ち上げられる。これにより、取付金具１５は、係止突起部１７が離脱阻止部２３に引っ掛かる位置まで移動するので、係止部１８，１９のスリット２２から自然に離脱することはない。
【００３４】
なお、この実施の形態では、取付金具１５の本体中央部２６と係止突起部１７とを一体に形成したが、これらを別体に形成して、取付金具１５の本体中央部２６にばね材で形成された係止突起部１７を取り付けるように構成しても良い。また、取付金具１５についても、これ自体金属製としたが、樹脂で構成しても良いことはもちろんである。
【符号の説明】
【００３５】
１０  ハンドヘルドターミナル
１１  表示部
１２  操作部
１３  ハンドストラップ
１４  バンド部
１５  取付金具
１６  爪部
１７  係止突起部
１８，１９  係止部
２０  遊嵌部
２１  スリット形成部材
２２  スリット
２３  離脱阻止部
２４  付勢部材
２５  当接部
２６  本体中央部
【図１】
2011130887.tif 000003
【図２】
2011130887.tif 000004
【図３】
2011130887.tif 000005
【図４】
2011130887.tif 000006
【図５】
2011130887.tif 000007
【図６】
2011130887.tif 000008
【図７】
2011130887.tif 000009